(57)【特許請求の範囲】
【請求項１】
ワークフローを管理するワークフロー管理部と、
原稿から画像を読み取る読取部と、
前記読み取った画像を解析して記載内容を認識する画像認識部と、
前記記載内容の認識に基づいて前記ワークフローとしての記載事項が正しいか否かにより重ね合わせ画像を形成するか否かの判断を行う画像形成判断部と、
前記画像形成判断部の判断に応じて前記重ね合わせ画像を形成する重ね合せ画像形成部と、
前記重ね合わせ画像を前記原稿に重ね合せ印刷する重ね合せ印刷部と、
を備え、
前記重ね合せ画像形成部は、前記重ね合わせ画像を前記ワークフロー管理部に対するリンク情報に基づき形成し、
前記ワークフロー管理部は、前記重ね合せ印刷部が前記原稿に重ね合せ印刷したとき前記ワークフローを開始させることを特徴とする画像形成システム。
【請求項２】
請求項１記載の画像形成システムであって、
前記画像形成判断部は、前記ワークフローの開始後に前記ワークフローの状態に応じて前記重ね合わせ画像を形成するための判断を行い、
前記重ね合せ画像形成部は、前記重ね合わせ画像を前記開始したワークフローの状態に応じた印影に基づき再度形成し、
前記重ね合せ印刷は、再度形成した前記重ね合わせ画像を前記原稿に重ね合せ印刷する、
ことを特徴とする画像形成システム。
【請求項３】
請求項１又は２記載の画像形成システムであって、
前記リンク情報をモバイル端末のカメラにより撮影して前記ワークフロー管理部にリンクさせ前記ワークフローの状態を前記モバイル端末に表示させる、
ことを特徴とする画像形成システム。
【請求項４】
画像形成システムであって、
ワークフローを管理するワークフロー管理部と、
原稿から画像を読み取る読取部と、
前記読み取った画像を解析して記載内容を認識する画像認識部と、
前記記載内容の認識に基づいて前記ワークフローとしての記載事項が正しいか否かにより重ね合わせ画像を形成するか否かの判断を行う画像形成判断部と、
前記画像形成判断部の判断に応じて前記重ね合わせ画像を形成する重ね合せ画像形成部と、
前記重ね合わせ画像を前記原稿に重ね合せ印刷する重ね合せ印刷部と、
を備え、
前記画像形成判断部は、前記ワークフローの状態に応じて前記重ね合わせ画像を形成するための判断を行い、
前記重ね合せ画像形成部は、前記重ね合わせ画像を前記ワークフローの状態に応じた印影に基づき形成する、
ことを特徴とする画像形成システム。
【請求項５】
請求項１〜４の何れか１項に記載の画像形成システムであって、
前記重ね合せ画像形成部と重ね合せ印刷部とは、印刷装置が構成し、
前記読取部は、前記印刷装置の給紙パス上に備えた給紙パススキャナー部であり、
前記重ね合せ印刷部は、前記給紙パスを通って給紙された前記原稿に重ね合せ印刷する、
ことを特徴とする画像形成システム。
【請求項６】
請求項５記載の画像形成システムであって、 
前記ワークフロー管理部に対するリンク情報を前記給紙パススキャナー部により認識して前記ワークフロー管理部にリンクさせ前記ワークフローの状態を前記印刷装置に表示させる、
ことを特徴とする画像形成システム。
【発明の詳細な説明】
【技術分野】
【０００１】
本発明は、原本に承認印等を重ね合せ印刷する画像形成システムに関する。
【背景技術】
【０００２】
従来、特許文献１、２に記載のような装置がある。
【０００３】
特許文献１の装置は、複製が許可されている原稿以外の原稿の複製を不許可とする手段を提供し、不正な複製を防止するものである。
【０００４】
この装置は、複製対象の画像に含まれる二次元コードに基づいて前記複製対象の画像の複製可否を決定するＭＦＰであって、前記複製対象の画像に前記複製対象の画像の複製許可を示す情報を含む二次元コードが含まれる場合に、前記複製対象の画像に関する情報と、前記二次元コードに基づく情報と、前記複製対象の画像の複製指示を行ったユーザーを示す情報とを関連付いた状態で記憶装置によって記憶させるＣＰＵを有する。
【０００５】
従って、複製が許可されていない原稿の複製を防止することができる。
【０００６】
特許文献２の装置は、QRコード（登録商標）とLVBCの両方に対応したMFPに対し、セキュアモードを対応させた場合、LVBCの利用においても利便性が損なわれないようにするものである。
【０００７】
この装置は、原稿を読み取って得られた原稿画像データの出力を当該原稿に付加された２次元コードを用いて制御する装置であって、前記制御に利用する２次元コードを設定する出力制御設定において、出力制御情報を符号化した画像が原稿の一部分に付加される部分コードを検出する部分コード検出設定と、出力制御情報を符号化した画像が原稿の略全面に付加される全体コードを検出する全体コード検出設定の、いずれが設定されているかを判定する判定手段と、部分コード検出設定がなされていると判定された場合には、前記出力制御情報が出力を許可する情報である場合にのみ前記原稿画像データを出力するセキュアモードの設定を可能とし、全体コード検出設定がなされていると判定した場合には、当該セキュアモードの設定を不可能とする制御手段とを有する。
【０００８】
従って、原稿の複写等の制御に２次元コードを利用する場合であっても、利便性を確保しつつＭＦＰ等を運用すること
しかし、何れも、二次元コード（２次元コード）を用いて画像データの出力を制御することはできるものの、原本そのものに重ね合せ印刷するものではなく、原本の唯一性の保持に限界があった。
【０００９】
一方、原本等のすでに印刷された紙文書やプレプリント(事前印刷)へ重ね合わせ印刷を行う場合には、紙文書を給紙トレイに設置し、別途準備された重ね合せ画像（オーバーレイ画像）を使って通常印刷するという工程が取られていた。この場合、給紙される紙文書に応じて重ね合せ画像を変更することは困難であった。
【先行技術文献】
【特許文献】
【００１０】
【特許文献１】特開２００９−２８４４７２号公報
【特許文献２】特開２０１３−１３８３１７号公報
【発明の概要】
【発明が解決しようとする課題】
【００１１】
本発明が解決しようとする問題点は、紙文書に応じて重ね合せ画像を変更することは困難であり、原本の唯一性の保持に限界があった点である。
【課題を解決するための手段】
【００１２】
本発明は、原本の唯一性保持の向上を可能にするという目的を、ワークフローを管理するワークフロー管理部と、原稿から画像を読み取る読取部と、前記読み取った画像を解析して記載内容を認識する画像認識部と、前記記載内容の認識に基づいて前記ワークフローとしての記載事項が正しいか否かにより重ね合わせ画像を形成するか否かの判断を行う画像形成判断部と、前記画像形成判断部の判断に応じて前記重ね合わせ画像を形成する重ね合せ画像形成部と、前記重ね合わせ画像を前記原稿に重ね合せ印刷する重ね合せ印刷部とを備え、前記重ね合せ画像形成部は、前記重ね合わせ画像を前記ワークフロー管理部に対するリンク情報に基づき形成し、前記ワークフロー管理部は、前記重ね合せ印刷部が前記原稿に重ね合せ印刷したとき前記ワークフローを開始させることにより実現した。
【発明の効果】
【００１３】
本発明によれば、画像の解析に基づく判断により重ね合わせ画像を形成するから、原本の記載に応じた重ね合わせ画像を形成して原本そのものに重ね合せ印刷することができ、原本の唯一性の保持が容易である。
【図面の簡単な説明】
【００１４】
【図１】画像形成システムの機能ブロック図である。（実施例１）
【図２】画像形成システムの構成図である。（実施例１）
【図３】印刷装置の概念図である。（実施例１）
【図４】データベースを示す図表である。（実施例１）
【図５】作用を説明する説明図である。（実施例１）
【図６】画像形成システムのフローチャートである。（実施例１）
【図７】印刷装置の概念図である。（実施例２）
【図８】画像形成システムのフローチャートである。（実施例２）
【発明を実施するための形態】
【００１５】
原本の唯一性保持の向上を可能にするという目的を、原稿から画像を読み取る読取部と、前記読み取った画像を解析して記載内容を認識する画像認識部と、前記記載内容の認識に基づいて前記記載事項が正しいか否かにより重ね合わせ画像を形成するか否かの判断を行う画像形成判断部と、前記画像形成判断部の判断に応じて重ね合わせ画像を形成する重ね合せ画像形成部と、前記重ね合わせ画像を前記原稿に重ね合せ印刷する重ね合せ印刷部とを備え、ワークフローを管理するワークフロー管理部を備えている。前記画像形成判断部は、前記記載内容の認識に基づいて前記ワークフローとしての記載事項が正しいか否かにより前記重ね合わせ画像を形成するか否かの判断を行い、前記重ね合せ画像形成部は、前記重ね合わせ画像を前記ワークフロー管理部に対するリンク情報に基づき形成し、前記ワークフロー管理部は、前記重ね合せ印刷部が前記原稿に重ね合せ印刷したとき前記ワークフローを開始させることにより実現した。
【実施例１】
【００１６】
［画像形成システム］
図１は、画像形成システムの機能ブロック図、図２は、画像形成システムの構成図、図３は、印刷装置の概念図、図４は、データベースを示す図表である。
【００１７】
図１のように、画像形成システム１は、読取部３と画像認識部５と画像形成判断部７と重ね合せ画像形成部９と重ね合せ印刷部１１とワークフロー管理部１３とを備えている。
【００１８】
読取部３は、原稿から画像を読み取るものであり、例えば、後述の印刷装置の給紙パス上の給紙パススキャナー部により、用紙の印刷画像から画像情報を読み取る。
【００１９】
画像認識部５は、読み取った画像を解析して記載内容を認識するものであり、例えば、後述のクラウドの画像認識サーバーが構成する。
【００２０】
画像形成判断部７は、記載内容の認識に基づいて重ね合わせ画像の形成に関する判断を行うものであり、例えば、後述のクラウドの画像認識サーバーが構成する。
【００２１】
重ね合せ画像形成部９は、画像形成判断部７の判断に応じて重ね合わせ画像を形成するものであり、例えば、後述のオーバーレイ生成部が構成する。
【００２２】
重ね合せ印刷部１１は、重ね合わせ画像を原稿に重ね合せ印刷するものであり、例えば、後述の印刷部が構成する。
【００２３】
ワークフロー管理部１３は、ワークフローを管理するものであり、後述のクラウドのワークフロー管理サーバーが構成する。
【００２４】
図２のように、印刷装置１５が、クラウド１７にインターネット接続されており、クラウド１７には、画像認識サーバー１９、バーコード管理サーバー２１、ワークフロー管理サーバー２３、記憶部２５が備えられている。
【００２５】
印刷装置１５は、複合機で構成され、スキャナー部１５ａ、画像形成部１５ｂ、印刷部１５ｃ、給紙部１５ｄ、送受信部１５ｅなどの機能部の他、バーコード認識部１５ｆ、オーバーレイ生成部１５ｇ、給紙パススキャナー部１５ｈを有している。
【００２６】
スキャナー部１５ａは、読取画面上の原稿を読み取るスキャナーである。
【００２７】
画像形成部１５ｂは、読み取ったデータから印刷画像を形成する回路である。
【００２８】
印刷部１５ｃは、画像形成部１５ｂから印刷画像を受け取り給紙部１５ｄから給紙された用紙に印刷して出力する印刷機構を有するデバイスである。また、本実施例において、印刷部１５ｃは、重ね合せ印刷部１１としても機能し、給紙パスを通って給紙された原本としての原稿に重ね合せ画像を重ね合せ印刷する。
【００２９】
給紙部１５ｄは、給紙ユニット（給紙カセットやＭＰトレイ）を備え、給紙ユニットからローラ−等で形成された給紙パスを通り印刷部１５ｃへの給紙を行なわせる給紙機構を有するデバイスである。
【００３０】
送受信部１５ｅは、ファクシミリデータ等の送受信の他、本実施例ではクラウド１７との間で情報の送受信を行なうネットワークインターフェースである。
【００３１】
バーコード認識部１５ｆは、給紙パススキャナー部１５ｈで読み取った原稿に印刷されている「バーコード」を認識し、「バーコード」が指し示すワークフローの状態などの情報をクラウド１７から取得する回路である。「バーコード」は、ワークフローの状態を確認するためのものであり、ワークフロー管理サーバー２３に対するリンク情報である。
【００３２】
リンク情報としては、ワークフロー管理サーバー２３の場所を特定し、ワークフローの状態などの情報に到達できればよく、この限りにおいてマトリクス型二次元コードなど種々のものを採用することができ、或はその他の情報をリンク情報として画像情報に埋め込んでもよい。
【００３３】
オーバーレイ生成部１５ｇは、重ね合せ画像形成部９として機能し、重ね合わせ画像を、リンク情報としての「バーコード」に基づき形成する回路である。
【００３４】
また、オーバーレイ生成部１５ｇは、後述のように、重ね合わせ画像を、開始したワークフローの状態に応じた印影に基づき再度形成する。
【００３５】
つまり、オーバーレイ生成部１５ｇは、クラウド１７から送信されたバーコード情報、承認の印影情報を受け取り、バーコード情報、印影情報を元に、「バーコード」の画像、印影の画像を重ね合せ画像としてそれぞれ形成する。重ね合せ画像は、原本としての原稿に重ねて印刷したとき、例えば、本実施例では「バーコード」、又は「承認」の印影を規定の箇所に印刷するものとして作成される。
【００３６】
給紙パススキャナー部１５ｈは、後述のように給紙パスに配置されて読取部３として機能し、給紙ユニット（給紙カセットやＭＰトレイ）にセットされた原稿が給紙パスで給紙されるとき原稿から画像を読み取るスキャナーであり、読み取った画像データは、制御部により送受信部１５ｄを介してクラウド１７に送信される。
【００３７】
画像認識サーバー１９は、画像認識部５として機能し、給紙パススキャナー部１５ｈが読み取って送信された画像情報から、例えば、ＯＣＲ（Ｏｐｔｉｃａｌ  Ｃｈａｒａｃｔｅｒ  Ｒｅｃｏｇｎｉｔｉｏｎ）技術、ＩＣＲ（Ｉｎｔｅｌｌｉｇｅｎｔ  Ｃｈａｒａｃｔｅｒ  Ｒｅｃｏｇｎｉｔｉｏｎ）技術、フォーム認識技術等を用いて画像認識を行う。この画像認識により罫線や文字などの画像認識が行われ、原稿の名前、写真などが認識される。
【００３８】
また、画像認識サーバー１９は、画像形成判断部７として機能し、記載内容の認識に基づいてワークフローとしての記載事項が正しいか否かにより重ね合わせ画像を形成するか否かの判断を行う。例えば、画像認識サーバー１９は、認識された画像から、「名前が記されているか？」、「写真が添付されているか？」などのチェックを行なう。
【００３９】
さらに、画像認識サーバー１９は、ワークフローの開始後にワークフローの状態に応じて重ね合わせ画像を形成するための判断を行う。例えば、ワークフローが承認済みか、承認不可かの判断により「承認」の印影を選択して形成する判断を行う。
【００４０】
バーコード管理サーバー２１は、画像認識サーバー１９によるワークフローとしての記載事項が正しいか否かのチェックの結果、記載事項に問題がなければ「バーコード」を生成し、記憶部２５のデータベースに登録後、印刷装置１５に送信する。記憶部２５は、ハードディスクドライブ（ＨＤＤ）などで構成されている。
【００４１】
ワークフロー管理サーバー２３は、ワークフローの状態を管理し、また、本実施例では、印刷部１５ｃが重ね合せ印刷部として原稿に重ね合せ画像を重ね合せ印刷したとき、ワークフローを開始する。
【００４２】
そして、原本に重ね合わせ印刷された「バーコード」をモバイル端末２７のカメラにより撮影してワークフロー管理サーバー２３にリンクさせワークフローの状態をモバイル端末２７に表示させる構成としている。
【００４３】
また、原本に重ね合わせ印刷された「バーコード」を印刷装置１５の給紙パススキャナー部１５ｈにより認識させてワークフロー管理サーバー２３にリンクさせ、ワークフローの状態を印刷装置１５に表示させる構成としている。
【００４４】
図３は、印刷装置の概念図である。
【００４５】
図３のように、本実施例の印刷装置１５では、２段の給紙カセット１５ｉ、１５ｊの内、下段の給紙カセット１５ｊの給紙パス１５ｋに給紙パススキャナー部１５ｈを設けている。給紙パススキャナー１５ｈは、給紙カセット１５ｊにセットされた原稿を給紙するときに読み取れればよく、給紙パス１５ｋ上のどこにあってもよい。
【００４６】
従って、給紙カセット１５ｊに原稿をセットすることで給紙カセット１５ｊから給紙パス１５ｋを通って送り出される原稿の画像を給紙パススキャナー部１５ｈにより読み取ることができる。
【００４７】
図4のデータベースを示す図表のように、記憶部２５に記憶されているデータは、バーコード、管理ＩＤ、ワークフローの状態、ワークフローが承認されている場合に登録される「承認」印影の関係が記録されている。図４の例では、管理ＩＤ０００１に対して、ワークフローの状態として承認済み、ワークフローが承認済みであることを示すバーコード、及び「承認」印影が関連付けられている。また、管理ＩＤ０００２に対して、ワークフローの状態として否決、及びワークフローが否決されたことを示すバーコードが関連付けられている。また、管理ＩＤ０００３に対して、ワークフローの状態として回覧流、及びワークフローが否決されたことを示すバーコードが関連付けられている。
【００４８】
図５は、作用を説明する説明図である。
【００４９】
図１、図２、図３、図５のように、印刷装置１５の給紙カセット１５ｊに原稿（原本）２９ａをセットし、印刷指示を行うと原稿が給紙カセット１５ｊから給紙パス１５ｋを通って送り出される。
【００５０】
給紙パス１５ｋにおいて、まず、給紙パススキャナー部１５ｈが原本２９ａを読み取り、画像データがクラウド１７に送信される。
【００５１】
クラウド１７では、画像認識サーバー１９が記載内容の確認を行い、問題なければバーコード管理サーバー２１が「バーコード」生成し、記憶部２５のデータベースに登録の後、印刷装置１５へ送信する。
【００５２】
印刷装置１５では受信した「バーコード」を元にオーバーレイ生成部１５ｇが重ね合わせ画像を生成し、印刷部１５ｃが原本２９ａに印刷し、原本２９ｂとする。
【００５３】
この際、ワークフローが開始される。記載事項に漏れや誤りが認識されたら、印刷装置１５のフロントパネルなどに警告を表示し、通常のコピー印刷が行われてもよいし、印刷自体を中止してもよい。
【００５４】
こうして得られたバーコード付き原稿２９ｂをモバイル端末２７で撮影すると、モバイル端末２７は、撮影された画像を印刷装置１５に送信する。印刷装置１５のバーコード認識部１５ｆは、撮影された画像から「バーコード」を認識し、この「バーコード」が指し示すワークフローの状態などの情報をクラウド１７のワークフロー管理サーバー２３から取得してモバイル端末２７に送信し、モバイル端末２７にワークフロー状態などの情報を表示させる。なお、パーソナルコンピュータからワークフローを確認してもよい。
【００５５】
仮にワークフローが承認済みだった場合、再び原本２９ｂを印刷装置１５の給紙カセット１５ｊに設置すると前記同様に給紙パススキャナー部１５ｈが読み取った「バーコード」をバーコード認識部１５ｆが認識し、「バーコード」が指し示すワークフローの状態に対応する印影情報をクラウド１７から取得する。こうして得られた印影情報を元にオーバーレイ生成部１５ｇが重ね合わせ画像を生成し、原本２９ｃに印刷する。詳細には、オーバーレイ生成部１５ｇは、印影情報が「承認」印影であれば、「承認」印影の画像を重ね合せ画像としてそれぞれ形成する。
【００５６】
なお、原本２９ａ、２９ｂ、２９ｃに示す「原本」の文字は、説明上使用しているものであり、実際には存在しない。
【００５７】
クラウド１７上に送信された情報は「写し」として任意のタイミングで印刷し複製２９ｄを得ることができる。このとき「写し」を強調するための地紋が併せて印刷されるのがよい。図５では「Copy」の文字が印刷されている。
【００５８】
承認済みの「バーコード」を不正に使い回せないように「承認」印の印刷は、一度だけ行うという制限等を設けるのがよい。
【００５９】
［画像形成処理］
図６は、画像形成システムのフローチャートである。なお、符号については、図１、図２を適宜参照する。
【００６０】
ステップＳ１（以下、ステップＳを「Ｓ」と略称する。）では、「原本設置」により、印刷装置１３の給紙カセット１５ｊに原稿をセットし、スタートボタンを押すとＳ２に移行する。
【００６１】
Ｓ２では、「原稿読み込み」により、給紙パス１５ｋにおいて、まず、給紙パススキャナー部１５ｈが原本２９ａを読み取り、画像データがクラウド１７に送信され、Ｓ３に移行する。
【００６２】
Ｓ３では、「記事正しいか？」の判断により、クラウド１７の画像認識サーバー１９において記載事項が正しいか否かを判断し、正しければ（ＹＥＳ）、Ｓ４に移行し、正しくなければ（ＮＯ）、Ｓ５に移行する。
【００６３】
Ｓ５では、「フロントパネルに警告」により、印刷装置１５のフロントパネルなどに警告が表示され、処理は終了する。この処理終了により通常のコピー印刷が行われる。印刷を中止してもよい。
【００６４】
Ｓ４では、「バーコード発行」により、クラウド１７のバーコード管理サーバー２１が管理ＩＤを含む「バーコード」を発行し、Ｓ６に移行する。
【００６５】
Ｓ６では、「バーコードを原本に印刷」により、オーバーレイ生成部１５ｇが、発行された「バーコード」を元に重ね合わせ画像を作成し、印刷部１５ｃが原本２９ａに印刷する。この印刷により、ワークフロー管理サーバー２３がワークフローを開始させる。
【００６６】
得られたバーコード付き原稿２９ｂをモバイル端末２７で撮影すると、モバイル端末２７は、撮影された画像を印刷装置１５に送信する。印刷装置１５のバーコード認識部１５ｆは、撮影された画像から「バーコード」を認識し、この「バーコード」指し示すワークフローの状態などの情報をクラウド１７のワークフロー管理サーバー２３から取得てモバイル端末２７に送信し、ワークフロー状態などの情報をモバイル端末２７に表示させる。なお、パーソナルコンピュータからワークフローを確認してもよい。
【００６７】
Ｓ７では、「原本設置」により、仮にワークフローが承認済みだった場合、再び原本２９ｂを印刷装置１５の給紙カセット１５ｊに設置し、スタートボタンを押すと、Ｓ８に移行する。
【００６８】
Ｓ８では、「バーコード読み込み」により、給紙パス１５ｋにおいて給紙パススキャナー部１５ｈが読み取った「バーコード」をバーコード認識部１５ｆが認識し、「バーコード」が指し示すワークフローの状態などの情報をクラウド１７から取得し、Ｓ９に移行する。
【００６９】
Ｓ９では、「承認済みか？」の判断により、ワークフローの状態などの情報から承認済みであれば（ＹＥＳ）、Ｓ１０に移行し、「回覧中」など承認済みでなければ（ＮＯ）、Ｓ５に移行する。
【００７０】
Ｓ１０では、「原本に承認印印刷」により、前記のようにクラウド１７から取得して得られた印影情報（ここでは「承認」印影）を元にオーバーレイ生成部１５ｇが重ね合わせ画像を生成し、印刷部１５ｃが原本２９ｃに重ね合わせ印刷し、処理は終了する。
【００７１】
このように、本発明実施例では、給紙パス１５ｋ上にある給紙パススキャナー部１５ｈの付属した印刷装置１５において、原稿を給紙カセット１５ｊに設置することで原本自身にオーバーレイ印刷(重ね合わせ印刷)が可能となる。
【００７２】
原本の記載内容の解析と原本への印刷を共に行うことができ、原本の記載内容に問題がなければその証明として、ドキュメントを特定するための「バーコード」を原本自身に重ね合わせ印刷することができる。
【００７３】
また、同様に給紙パススキャナー部１５ｈより「バーコード」を読み取ることにより関連情報を取得し、原本に再び追加情報を印刷することができる。
【００７４】
例えば承認ワークフローがあったとして、「バーコード」をモバイル端末２７搭載のカメラで撮影することでワークフローの現在の状態が容易に確認できる効果がある。
【００７５】
また「バーコード」を給紙パススキャナー部１５ｈで読み取ることで承認済みのドキュメントに対して承認印を重ね合わせ印刷することもできる。これにより、紙文書を電子化(PDF化)後に送信し、承認者が電子署名して返送し、それを再び紙に印刷する場合に比べ、原本の唯一性が向上する。
【００７６】
また原本を重視する業務形態において申請者と承認者が遠い距離を隔てる場合、原本を郵送して承認後に返送する場合に比べても手間が減少するという効果がある。
【実施例２】
【００７７】
図７、図８は、実施例２に係り、図７は、印刷装置の概念図、図８は、画像形成システムのフローチャートである。
【００７８】
本実施例では、「バーコード」、「承認」の印影を、印刷装置１５Ａの一度の操作で重ね合わせ印刷するようにした。本実施例においても、基本的には、実施例1と同様の画像形成システム１である。
【００７９】
本実施例の画像形成判断部７としての画像認識サーバー１９は、「バーコード」の取得と並行してワークフローの状態に応じて重ね合わせ画像を形成するための判断を行い、重ね合せ画像形成部９としてのオーバーレイ生成部１５ｇは、重ね合わせ画像をワークフローの状態に応じた印影を「バーコード」と合わせ、これらに基づき形成する。
【００８０】
なお、重ね合わせ画像をワークフローの状態に応じた印影にのみ基づいて形成する構成としてもよい。
【００８１】
本実施例では、図７のように、印刷装置１５Ａが、例えば３段の給紙カセット１５ｉ、１５ｊ、１５ｌを備え、最下段の給紙カセット１５ｌの給紙パス１５Ａｋに給紙パススキャナー部１５Ａｈを備えた。
【００８２】
給紙パス１５Ａｋには、レジストローラー１５Ａｋａが備えられている。このレジストローラー１５Ａｋａは、給紙の停止制御を行うものであり、通常は、転写部にトナー画像が到着するタイミングと、転写部に用紙を供給するタイミングとを合わせるために用紙の搬送及び停止を制御部の制御により行わせる。本実施例では、さらに、給紙パススキャナー部１５Ａｈが給紙パス１５Ａｋ上の原稿を実施例１同様に読み取り、この読取後の原稿の搬送を一時停止させる機能を備えた。
【００８３】
この原稿の停止により、クラウド１７の画像認識サーバー１９が記載内容の確認を行い、記載が正しい場合、ワークフローが承認済みの場合、例えば印刷装置１５Ａが「バーコード」、「承認」の印影をそれぞれ取得し、或は記事に問題ありなどの判断を取得することになる。
【００８４】
つまり、図８のように、実施例１と同一のＳ２，Ｓ３の間に新たにＳ１２を追加し、実施例１のＳ７、Ｓ８を省き、Ｓ９の後にＳ１３を追加し、Ｓ１３の次に、実施例１のＳ１０に代えたＳ１４を設けた。
【００８５】
従って、Ｓ２の「原本読み込み」の次に、Ｓ１２の「原本待機」によりレジストローラー１５Ａｋａが原本の送りを停止させ、Ｓ３に移行する。
【００８６】
次いで、Ｓ３、Ｓ４が実施例１とほぼ同様に処理される。但し、Ｓ４にて「バーコード」が発行されるとワークフロー管理サーバー２３がワークフローを開始させ、Ｓ９に移行する。
【００８７】
Ｓ９では、実施例１とほぼ同様に処理され、Ｓ５又はＳ１３に移行する。
【００８８】
Ｓ１３では、「原本送り再開」により、レジストローラー１５Ａｋａが再稼働し、停止されていた原本の送りが開始され、Ｓ１４に移行する。
【００８９】
Ｓ１４では、「原本にバーコード及び承認印を印刷」により、前記のようにクラウド１７から取得して得られた「バーコード」及び「承認」印影などを元にオーバーレイ生成部１５ｇが重ね合わせ画像を生成し、印刷部１５ｃが原本に重ね合わせ印刷し、処理は終了する。
【００９０】
従って、本実施例では、原本を給紙カセット或はＭＰトレイに一度セットするだけで「バーコード」及び「承認」印影を原本に印刷することができ、より円滑な承認が可能となる。その他、実施例１と同様な作用効果を奏することができる。
【００９１】
なお、図６のステップＳ９において、ワークフローの状態が「否決」であれば、前記のようにクラウド１７から取得して得られた印影情報（ここでは「否決」印影）を元にオーバーレイ生成部１５ｇが重ね合わせ画像を生成し、印刷部１５ｃが原本２９ｃに重ね合わせ印刷し、処理は終了してもよい。この場合、図４のデータベースにおいて、管理ＩＤ０００２に対して、ワークフローの状態として否決、ワークフローが否決されたことを示すバーコード、及び「否決」印影が関連付けられているが関連付けられる。
【符号の説明】
【００９２】
１  画像形成システム
３  読取部
５  画像認識部
７  画像形成判断部
９  重ね合せ画像形成部
１０  リンク情報付加部
１１  重ね合せ印刷部
１３  ワークフロー管理部
１５  印刷装置
１５ｃ  印刷部
１９  画像認識サーバー
２１  バーコード管理サーバー
２３  ワークフロー管理サーバー
２５  記憶部
【図１】
0006304128.tif 000002
【図２】
0006304128.tif 000003
【図３】
0006304128.tif 000004
【図４】
0006304128.tif 000005
【図５】
0006304128.tif 000006
【図６】
0006304128.tif 000007
【図７】
0006304128.tif 000008
【図８】
0006304128.tif 000009